(57)【特許請求の範囲】
【請求項１】
それぞれ左右両側に側板を有する下部棚と上部棚とを連結、分離が可能であり、机天板の後方部位に載置する上下分離型机上棚であって、前記下部棚又は上部棚の両側板に側面視四角形状のスペーサー部材を水平横方向の枢軸を中心に回転可能に取付けるとともに、前記下部棚と上部棚の一方又は双方の両側板に、下部棚と上部棚の両側板同士を接合した状態で前記スペーサー部材を嵌合し得る凹部を形成し、該凹部内にスペーサー部材を嵌合し且つ下部棚と上部棚の両側板同士を接合した状態又は前記スペーサー部材を回転変位させて下部棚と上部棚の両側板間に介在させた状態で、上下の側板同士を連結板又は前記スペーサー部材に一体形成した連結部にて着脱可能に連結し、前記上部棚を下部棚に対して高さ変更可能に支持してなることを特徴とする上下分離型机上棚における連結装置。
【請求項２】
前記下部棚と上部棚の双方の両側板に、側面視四角形状の凹部を上下位置に対応させてそれぞれ形成し、前記下部棚又は上部棚の一方の両側板に形成した凹部側面に縦長の連結板の一端部を取付けるとともに、該側板から突出した連結板の他端側中間部に、側面視長方形のスペーサー部材を枢軸にて回転可能に取付け且つ枢軸の軸方向に前記凹部外へ変位可能となし、更に該連結板の他端部を他方の両側板に形成した凹部内に高さ変更可能且つ着脱可能に取付けてなる請求項１記載の上下分離型机上棚における連結装置。
【請求項３】
前記下部棚と上部棚の一方の両側板であって前後一側に寄せた位置に、側面視四角形状の凹部を形成し、他方の両側板であって前記凹部よりも中央寄り位置に、周囲に鍔状の連結部を一体形成したスペーサー部材を該連結部を利用して回転可能に取付けるとともに、前記連結部を前記下部棚と上部棚の両側板に着脱可能に取付けてなる請求項１記載の上下分離型机上棚における連結装置。
【発明の詳細な説明】
【０００１】
【発明の属する技術分野】
本発明は、上下分離型机上棚における連結装置に係わり、更に詳しくは机天板の後方部位に載置し、下部棚と上部棚を連結した態様で使用する場合に上部棚を下部棚に対して高さ変更可能に支持することが可能であり、又は上部棚を取り除いた下部棚のみの態様で使用できる上下分離型机上棚における連結装置に関する。
【０００２】
【従来の技術】
従来、下部棚と上部棚とを連結、分離が可能であり、机天板の後方部位に載置する上下分離型机上棚は、既に提供されている。
【０００３】
従来の上下分離型机上棚は、下部棚と上部棚とを連結した態様では、下部棚に対して上部棚の取付位置は固定的であった。そのため、下部棚の棚板を外して形成される空間にパーソナルコンピューター（以下「パソコン」と称する）を設置する際、上部棚の棚板が特にデスクトップ型のパソコンのモニターに当たる等して邪魔になる場合があり、その場合には上部棚を分離して下部棚のみを使用していた。
【０００４】
通常、上下分離型机上棚において照明具は、上部棚の棚板の前縁部に設けているが、前述のように上部棚を取り外してしまうと、照明具が利用できなくなるといった不都合があった。そのため、本出願人は、照明具を下部棚に設けた構造の上下分離型机上棚を提案、提供するに至ったが、デスクトップ型のパソコンを机上に設置した場合に、上部棚を利用できなくなるので、書籍やファイル等の収納空間が極端に減少し、机上棚本来の機能が半減するといった問題が解決されないまま内在していた。
【０００５】
【発明が解決しようとする課題】
本発明が前述の状況に鑑み、解決しようとするところは、下部棚の上位に上部棚を連結する際に、下部棚に対する上部棚の高さを変更可能に連結することができる上下分離型机上棚における連結装置を提供する点にある。
【０００６】
【課題を解決するための手段】
本発明は、前述の課題解決のために、それぞれ左右両側に側板を有する下部棚と上部棚とを連結、分離が可能であり、机天板の後方部位に載置する上下分離型机上棚であって、前記下部棚又は上部棚の両側板に側面視四角形状のスペーサー部材を水平横方向の枢軸を中心に回転可能に取付けるとともに、前記下部棚と上部棚の一方又は双方の両側板に、下部棚と上部棚の両側板同士を接合した状態で前記スペーサー部材を嵌合し得る凹部を形成し、該凹部内にスペーサー部材を嵌合し且つ下部棚と上部棚の両側板同士を接合した状態又は前記スペーサー部材を回転変位させて下部棚と上部棚の両側板間に介在させた状態で、上下の側板同士を連結板又は前記スペーサー部材に一体形成した連結部にて着脱可能に連結し、前記上部棚を下部棚に対して高さ変更可能に支持してなる上下分離型机上棚における連結装置を構成した。
【０００７】
具体的には、本発明の連結装置は、前記下部棚と上部棚の双方の両側板に、側面視四角形状の凹部を上下位置に対応させてそれぞれ形成し、前記下部棚又は上部棚の一方の両側板に形成した凹部側面に縦長の連結板の一端部を取付けるとともに、該側板から突出した連結板の他端側中間部に、側面視長方形のスペーサー部材を枢軸にて回転可能に取付け且つ枢軸の軸方向に前記凹部外へ変位可能となし、更に該連結板の他端部を他方の両側板に形成した凹部内に高さ変更可能且つ着脱可能に取付けてなるものである。
【０００８】
また、本発明の連結装置は、前記下部棚と上部棚の一方の両側板であって前後一側に寄せた位置に、側面視四角形状の凹部を形成し、他方の両側板であって前記凹部よりも中央寄り位置に、周囲に鍔状の連結部を一体形成したスペーサー部材を該連結部を利用して回転可能に取付けるとともに、前記連結部を前記下部棚と上部棚の両側板に着脱可能に取付けてなるものである。
【０００９】
【発明の実施の形態】
次に本発明の実施形態を添付図面に基づき更に詳細に説明する。図１は本発明の上下分離型机上棚１を机２の天板３の後部寄り部位に載置した使用例を示し、図１〜図５は本発明の第１実施形態、図６〜図９は本発明の第２実施形態を示し、図中符号４は下部棚、５は上部棚、６は連結装置をそれぞれ示している。
【００１０】
先ず、本発明の第１実施形態に係る机上棚１を図１〜図５に基づいて説明する。本発明の机上棚１は、下部棚４と上部棚５とを連結、分離が可能なものであり、連結装置６にて上部棚５を下部棚４に対して高さ変更可能に支持してなるものである。また、前記下部棚４を机天板３に載置して固定する手段としては、従来と同様に止金具を用いて行うなど、適宜な固定手段を採用し得る。
【００１１】
前記下部棚４は、両側板７，７の後部間に該側板７よりも上端が上方へ突出した下幕板８を設け、左右中間位置の下幕板８に仕切板９を取付け、該仕切板９と一方の側板７間には下棚板１０を渡設するとともに、該下棚板１０の上面に複数の小仕切板１１，…を取付け、下棚板１０の下面側に引出し１２を設け、更に前記仕切板９と他方の側板７間に着脱自在に中間棚板１３を取付けた構造を有している。尚、前記引出し１２の側位には、後述の灯具を点灯、消灯するためのスイッチ類を備えたコントロールパネル１４を設けている。
【００１２】
そして、前記下部棚４の各側板７の上端縁は、略水平に形成されており、後述の上部棚５を接合状態で載置できるようになっている。また、前記下幕板８は、該下幕板８の板厚より若干大きな距離だけ背面を両側板７，７の後端よりも前方に設定するとともに、上端縁は前記仕切板９と側板７との間に設けた中間棚板１３の上方に対応する部分を上方へ湾曲させ、その他の部分は直線若しくは波うった形状上方に湾曲した形状となし、少なくとも一部が側板７よりも上方へ突出するように設定している。
【００１３】
前記上部棚５は、前記下部棚４の側板７，７の間隔と同一であり且つ側板７と同一の板厚を有する両側板１５，１５間の上下中間位置に上棚板１６を固定し、両側板１５，１５の後端部間であって該上棚板１６の後方に上幕板１７を設け、更に前記上棚板１６の上面と上幕板１７とに複数の小仕切板１８，１８を固定したものである。また、前記上棚板１６の下面前縁に沿って全長にわたって照明具１９を前後スライド可能に設けている。そして、前記上部棚５の各側板１５の下端縁は、前記下部棚４の側板７の上端縁に載置できる形状となっている。
【００１４】
また、前記上幕板１７は、背面を側板１５の後端と一致若しくは若干前方位置に設定し、その上端部は上方に湾曲した形状であり、下端は直線状で側板１５の下端よりも若干下方へ突出しても、側板１５の下端と面一でも良い。
【００１５】
そして、前記連結装置６は、前記下部棚４の両側板７，７に側面視四角形状のスペーサー部材２０を水平横方向の枢軸２１を中心に回転可能に取付けるとともに、前記下部棚４と上部棚５の双方の両側板７，７，１５，１５に、下部棚４と上部棚５の両側板７，１５同士を接合した状態で前記スペーサー部材２０を嵌合し得る凹部２２，２３を形成し、該凹部２２，２３内にスペーサー部材２０を嵌合し且つ下部棚４と上部棚５の両側板７，１５同士を接合した状態（図４参照）又は前記スペーサー部材２０を回転変位させて下部棚４と上部棚５の両側板７，１５間に介在させた状態（図５参照）で、上下の側板７，１５同士を連結板２４にて着脱可能に連結し、前記上部棚５を下部棚４に対して高さ変更可能に支持してなるものである。ここで、下部棚４の側板７に設けた凹部を符号２２とし、上部棚５の側板１５に設けた凹部を符号２３でそれぞれ表している。
【００１６】
更に詳しくは、前記下部棚４と上部棚５の双方の両側板７，７，１５，１５の内面側に、側面視四角形状の凹部２２，２３を上下位置に対応させてそれぞれ形成し、前記下部棚４の両側板７，７に形成した凹部２２，２２側面に縦長の連結板２４の一端部を取付けるとともに、該側板７から上方へ突出した連結板２４の他端側中間部に、側面視長方形のスペーサー部材２０を枢軸２１にて回転可能に取付け且つ枢軸２１の軸方向に前記凹部２２外へ変位可能となし、更に該連結板２４の他端部を上部棚５の両側板１５，１５に形成した凹部２３，２３内に高さ変更可能且つ着脱可能に取付けてなるのである。
【００１７】
そして、前記連結板２４は、Ｌ字状の金具であり、前記凹部２２，２３内に同時に嵌合できる縦長長方形の垂直板２４Ａとその下端に折曲形成した凹部２２の深さ程度の水平板２４Ｂとからなり、下部棚４の凹部２２内に下部を埋没状態で嵌合するとともに、垂直板２４Ａの下部を凹部２２の側面にネジ止めし且つ水平板２４Ｂを凹部２２の底面にネジ止めしている。ここで、前記連結板２４の垂直板２４Ａの上端部には上部棚５の凹部２３の側面にネジ止めするための取付孔２５，２５を形成している。尚、前記凹部２２，２３内のネジ止め対応箇所には、複数のオニメナット２６，…を埋設している。また、前記下部棚４の側板７より上方に突出した連結板２４には、水平横方向の枢軸２１を突設しており、該枢軸２１を中空のスペーサー部材２０の一側面を貫通させ、内部にコイルばね２７を介在させて、該スペーサー部材２０を枢軸２１の軸方向へ弾性変位可能となしている。このスペーサー部材２０の変位量は、前記凹部２２外へスペーサー部材２０を引き出して回転できる程度で良い。また、本実施形態では、スペーサー部材２０を中空部材で構成したが、全体を中実部材で形成し、前記枢軸２１を装着する部分のみ枢軸２１とコイルばね２７を収容できる空間を設けたものでも良いのである。
【００１８】
前記スペーサー部材２０は、下部棚４と上部棚５とを互いの側板７，１５同士を接合した状態で、前記凹部２２，２３に嵌合できる側面視長方形状であり、中間部には凹部２２内から引き出すためのつまみ用の切欠部２８，２８を形成し、また一端部には上部棚５の凹部２３内に連結板２４をネジ止めするためのネジ２９を挿通できる通孔３０，３０を形成している。また、前記上部棚５の凹部２３の側面であって上部と下部位置にそれぞれオニメナット２６，２６を二対設けている。
【００１９】
前記連結装置６を用いて下部棚４に上部棚５を連結するには、図４に示すように、前記スペーサー部材２０を連結板２４に沿った向き、即ち長手方向を上下に向けた状態に設定し、該スペーサー部材２０の下部を下部棚４の凹部２２内に嵌合した状態で、上部棚５を上方から下部棚４に載置すると、上部棚５の凹部２３内に前記連結板２４の上部とスペーサー部材２０の上部が嵌合し且つ下部棚４の側板７，７と上部棚５の側板１５，１５同士が接合し、その状態でスペーサー部材２０の通孔３０，３０から挿通したネジ２９，２９を連結板２４の取付孔２５，２５を利用して上方のオニメナット２６，２６に螺合して連結する。また、図５に示すように、前記切欠部２８，２８に指を掛けてスペーサー部材２０を凹部２２内から引き出し、９０°回転させた後、コイルばね２７の弾性付勢力によって元の引き込んだ状態に復帰させ、その状態で下部棚４に上部棚５を載置すると、前記連結板２４の上端部が上部棚５の凹部２３内に嵌合するとともに、上部棚５の両側板１５，１５がそれぞれスペーサー部材２０，２０に載置し、その状態でネジ２９，２９を直接連結板２４の取付孔２５，２５を利用して下方のオニメナット２６，２６に螺合して連結する。即ち、前記連結装置６を用いて下部棚４に対して上部棚５を、図４に示したように両側板７，１５同士が接合した高さが低い状態に連結することができるとともに、図５に示したように両側板７，１５間にスペーサー部材２０が介在した高さが高い状態に連結することができる。
【００２０】
尚、本実施形態では、前記連結板２４を下部棚４に取付けるとともに、該連結板２４を介してスペーサー部材２０を下部棚４に回転可能に設けたが、この関係を上下逆にして上部棚５に連結板２４とスペーサー部材２０を取付けることが可能である。また、前記連結板２４をネジ２９にて凹部２３に連結する代わりに、前記スペーサー部材２０の周囲に鍔状の連結部を形成しておき、該連結部を側板１５又は側板７，１５の両方にネジ止めする構造でも良い。
【００２１】
次に、本発明の第２実施形態を図６〜図９に基づいて説明する。本実施形態も基本的構造及び技術的思想は第１実施形態と同様である。本実施形態の連結装置６は、前記上部棚５の両側板１５，１５の内面側であって前後一側に寄せた位置に、側面視四角形状の凹部３１を形成し、下部棚４の両側板７，７であって前記凹部３１よりも中央寄り位置に、周囲に鍔状の連結部３２を一体形成したスペーサー部材３３を該連結部３２を利用して水平横方向の枢軸３４にて回転可能に取付けるとともに、前記連結部３２を前記下部棚４と上部棚５の両側板７，１５に着脱可能に取付けてなる構造である。
【００２２】
本実施形態の連結装置６は、上部棚５の側板１５の後部側に縦長四角形の凹部３１を形成し、図７に示すように該凹部３１内に埋没状態で嵌合し得る側面視長方形状のスペーサー部材３３の一側面側の周囲に鍔状の連結部３２を一体形成するか若しくはスペーサー部材３３の一側面にそれよりも面積の広い連結板を取付けてその周囲に突出した部分を前記連結部３２としても良い。そして、前記連結部３２の一つのコーナー部を前記枢軸３４にて下部棚４の側板１５であって凹部３１の前方側に枢着することにより、該枢軸３４を中心として後方回転させてスペーサー部材３３が側板７の上端縁後部に立起した状態と、９０°前方回転させてスペーサー部材３３が側板７の上端縁中央部に倒伏した状態とを実現できるようにしている。尚、前記スペーサー部材３３は正方形でも良いので、前述の「立起」と「倒伏」とは単に回転状態を表しているに過ぎない。そして、図８に示すように、前記スペーサー部材３３を側板７の後部に立起させた状態で、上部棚５を上方から下部棚４に載置すると、上部棚５の凹部３１内に前記スペーサー部材３３が嵌合し且つ下部棚４の側板７，７と上部棚５の側板１５，１５同士が接合し、その状態で連結部３２のコーナー部を側板７，１５にネジ３５，…にて連結するのである。また、図９に示すように、前記スペーサー部材３３を側板７の中央部に倒伏させた状態で、上部棚５の両側板１５，１５をそれぞれスペーサー部材３３，３３に載置し、その状態で連結部３２のコーナー部を側板７，１５にネジ３５，…にて連結するのである。
【００２３】
尚、前記ネジ３５，…にて連結部３２を側板７，１５に連結するには、前記連結部３２のコーナー部にそれぞれ取付孔３６，…を形成し、前記スペーサー部材３３の立起状態と倒伏状態においてそれぞれ取付孔３６，…に対応する側板７，１５の位置に、オニメナット３７，…を埋設している。
【００２４】
また、本実施形態では、前記凹部３１は、前記上部棚５の側板１５に形成したが、下部棚４の側板７に形成し、スペーサー部材３３を上部棚５の側板７に連結部３２を介して回転可能に取付けても良い。更に、前記凹部３１は下方にのみ開放したものを例示したが、後方へも開放していても良い。
【００２５】
また、本実施形態では、下部棚４と上部棚５とを両側のそれぞれの側板７，１５同士を連結装置６にて連結したが、連結強度が不足する場合には、下部棚４の下幕板８の上端部と上部棚５の上幕板１７の下端部を前後に重合し、それらを左右中央部において高さ変更可能に連結することも可能である。
【００２６】
このように、本発明の机上棚１は、下部棚４に対して上部棚５を連結、分離可能となし、しかも下部棚４に対して上部棚５を高さ変更可能に連結したものであり、下部棚４と上部棚５とを互いの側板７，１５同士を接合連結して低い状態で使用する場合には、従来の一体型の机上棚と同様に使用できるが、この際、机天板３に図示しないパソコン等の電子機器を載置する場合には、前記中間棚板１３を取り去って仕切板９と側板７との間に電子機器の本体部及びＣＲＴディスプレイを収納する空間を形成することができ、そしてＣＲＴディスプレイが上部棚５の上棚板１６に当たる場合には、下部棚４と上部棚５とを互いの側板７，１５間にスペーサー部材２０又は３３を介在させて連結して高い状態に設定することが可能である。また、下部棚４に対して上部棚５を分離し、上部棚５及び連結装置６を取り除いて下部棚４のみを使用することも可能であり、この場合も、机天板３にパソコン等の電子機器を載置する場合には、前記中間棚板１３を取り除いてパソコンの本体部及びＣＲＴディスプレイを収納する空間を確保できるのである。
【００２７】
【発明の効果】
以上にしてなる本発明の上下分離型机上棚における連結装置は、回転可能なスペーサー部材を有し、下部棚に対して上部棚を連結する場合に、スペーサー部材を前記下部棚と上部棚の一方又は双方の両側板に形成した凹部に埋没状態で嵌合し、上下の側板同士を接合状態で連結した高さが低い態様と、スペーサー部材を上下の側板間に介在させた状態で連結した高さが高い態様とを実現でき、しかもその態様変更はスペーサー部材を回転させてネジ止め等によって付け替えるだけの簡単な作業で行うことができるのである。そして、デスクトップ型のパソコンを机上に設置する場合にも上部棚が邪魔にならないように高い状態に連結すれば、上部棚を利用することができるので、書籍やファイル等を収容するための空間が減少することがなく、机上棚本来の機能を利用できる。
【図面の簡単な説明】
【図１】本発明の上下分離型机上棚の下部棚と上部棚とを連結して使用する態様を示す全体斜視図である。
【図２】本発明の第１実施形態を示す要部の分解斜視図である。
【図３】同じく要部の縦断面図である。
【図４】同じく上部棚の高さが低い連結態様を示す要部側面図である。
【図５】同じく上部棚の高さが高い連結態様を示す要部側面図である。
【図６】本発明の第２実施形態を示す要部の分解斜視図である。
【図７】同じく要部の縦断面図である。
【図８】同じく上部棚の高さが低い連結態様を示す要部側面図である。
【図９】同じく上部棚の高さが高い連結態様を示す要部側面図である。
【符号の説明】
１  机上棚                ２  机
３  天板                  ４  下部棚
５  上部棚                ６  連結装置
７  側板                  ８  下幕板
９  仕切板                １０  下棚板
１１  小仕切板            １２  引出し
１３  中間棚板            １４  コントロールパネル
１５  側板                １６  上棚板
１７  上幕板              １８  小仕切板
１９  照明具              ２０  スペーサー部材
２１  枢軸                ２２  凹部
２３  凹部                ２４  連結板
２５  取付孔              ２６  オニメナット
２７  コイルばね          ２８  切欠部
２９  ネジ                ３０  通孔
３１  凹部                ３２  連結部
３３  スペーサー部材      ３４  枢軸
３５  ネジ                ３６  取付孔
３７  オニメナット
【図１】
0003593876.tif 000002
【図２】
0003593876.tif 000003
【図３】
0003593876.tif 000004
【図４】
0003593876.tif 000005
【図５】
0003593876.tif 000006
【図６】
0003593876.tif 000007
【図７】
0003593876.tif 000008
【図８】
0003593876.tif 000009
【図９】
0003593876.tif 000010